(57)【要約】【課題】リンパ液の流れの変化を容易に評価することのできるヒトのリンパ液の流れの評価方法を提供すること。【解決手段】ヒトのリンパ液の流れを評価するにあたって、第１時刻の血液、およびその後の第２時刻の血液の各々に対して、血液とリンパ液とにおいて濃度が異なる特定成分（血漿たんぱく、アルブミン、赤血球、ヘマトクリット、抗利尿ホルモン等）の濃度を測定する。第１時刻の血液と第２時刻の血液とにおいて特定成分の濃度が変化したとき、第１時刻と第２時刻との間に行った行為によってリンパ液の流れが変化したと判定する。【選択図】図１
2017150958.tif 000002
【特許請求の範囲】
【請求項１】
ヒトのリンパ液の流れの評価方法において、
第１時刻の血液、およびその後の第２時刻の血液の各々に対して、血液とリンパ液とにおいて濃度が異なる特定成分の濃度を測定し、
前記第１時刻の血液と前記第２時刻の血液とにおいて前記特定成分の濃度が変化したとき、前記第１時刻と前記第２時刻との間でリンパ液の流れが変化したと判定することを特徴とするヒトのリンパ液の流れの評価方法。
【請求項２】
前記特定成分は、血漿たんぱく、アルブミン、赤血球、ヘマトクリット、および抗利尿ホルモンのうちの少なくとも１つであることを特徴とする請求項１に記載のヒトのリンパ液の流れの評価方法。
【請求項３】
前記第１時刻の血液と前記第２時刻の血液とにおいて前記特定成分の濃度が変化したとき、前記第１時刻と前記第２時刻との間に行った行為によりリンパ液の流れが変化したと判定することを特徴とする請求項１または２に記載のヒトのリンパ液の流れの評価方法。
【請求項４】
前記第１時刻および前記第２時刻での前記特定成分の濃度を測定するにあたっては、前記第１時刻に採取した血液、および前記第２時刻に採取した血液の前記特定成分の濃度を測定することを特徴とする請求項１乃至３の何れか一項に記載のヒトのリンパ液の流れの評価方法。
【発明の詳細な説明】
【技術分野】
【０００１】
本発明は、時間経過に伴うヒトのリンパ液の流れを評価する方法に関するものである。
【背景技術】
【０００２】
ヒトの細胞から出た老廃物や余分な水分は、毛細血管を通して血液に戻っていく。さらに余分なものは毛細リンパ管に流れ、やがてリンパ液としてリンパ節を通って、静脈に回収される。このように、リンパ管は体内の排水管のような役目を担っているので、リンパ液の流れがスムーズであれば、免疫力が向上する等の利点がある。それ故、適正なマッサージ等の行為によって、リンパ液の流れをスムーズにすることが好ましいが、リンパ管は、全身に網目状にはりめぐらされているので、リンパ液の流れを直接測定するのは困難である。
【０００３】
一方、ヒトのリンパ液の流れを評価する技術として、ＩＣＧ（インドシアニングリーン）を予め体内に投入しておき、特殊光を照射した際に得られる画像からリンパ管内でのＩＣＧの動きを監視する技術が提案されている（特許文献１）。
【先行技術文献】
【特許文献】
【０００４】
【特許文献１】特開２０１２−５０６１７号公報
【発明の概要】
【発明が解決しようとする課題】
【０００５】
しかしながら、特許文献１に記載の技術では、特殊な撮像装置等が必要であるため、リンパ液の流れを容易に評価することが困難である。
【０００６】
以上の問題点に鑑みて、本発明の課題は、リンパ液の流れの変化を容易に評価することのできるヒトのリンパ液の流れの評価方法を提供することにある。
【課題を解決するための手段】
【０００７】
上記課題を解決するために、本発明に係るヒトのリンパ液の流れの評価方法では、第１時刻の血液、およびその後の第２時刻の血液の各々に対して、血液とリンパ液とにおいて濃度が異なる特定成分の濃度を測定し、前記第１時刻の血液と前記第２時刻の血液とにおいて特定成分の濃度が変化したとき、前記第１時刻と前記第２時刻との間でリンパ液の流れが変化したと判定することを特徴とする。
【０００８】
本発明では、リンパ液がリンパ節を通って静脈に流れ込むことから、リンパ液の流れが変化した場合、リンパ液が静脈に流れ込む量が変化する結果、血液中の特定成分の濃度が変化することに着目したものである。すなわち、第１時刻の血液および第２時刻の血液における特定成分の濃度を検出した際に特定成分の濃度が変化したとき、リンパ液が静脈に流れ込む量が変化して、血液がリンパ液で薄まった度合が変化したことがわかる。また、リンパ液が静脈に流れ込む量は、リンパ液の流れと正の相関性を有していることから、特定成分の濃度変化をみれば、第１時刻と第２時刻との間でリンパ液の流れが変化したと判定することができる。それ故、ヒトのリンパ液の流れの変化を容易に評価することができる。
【０００９】
本発明において、前記特定成分は、血漿たんぱく、アルブミン、赤血球、ヘマトクリット、白血球、および抗利尿ホルモンのうちの少なくとも１つであり、前記第１時刻より前
記第２時刻において前記特定成分の濃度が減少したとき、前記第２時刻においては、前記第１時刻よりリンパ液の流れが増大していると判定する態様を採用することができる。リンパ液は、血漿たんぱく、アルブミン、赤血球、ヘマトクリット、白血球、抗利尿ホルモン等の特定成分の含有量が血液より著しく低いことから、リンパ液の流れが変化した場合、血液中の特定成分の濃度が大きく変化する。それ故、リンパ液の流れが変化したか否かを容易に評価することができる。本発明では、上記の特定成分のうち、血漿たんぱく、アルブミン、赤血球、ヘマトクリット、および抗利尿ホルモンのうちの少なくとも１つを利用することが好ましい。かかる構成によれば、ヒトのリンパ液の流れが変化したか否かを容易かつ確実に評価することができる。
【００１０】
本発明では、前記第１時刻の血液と前記第２時刻の血液とにおいて前記特定成分の濃度が変化したとき、前記第１時刻と前記第２時刻との間に行った行為によりリンパ液の流れが変化したと判定する態様を採用することができる。
【００１１】
本発明において、前記第１時刻および前記第２時刻での前記特定成分の濃度を測定するにあたっては、前記第１時刻に採取した血液、および前記第２時刻に採取した血液の前記特定成分の濃度を測定する態様を採用することができる。かかる構成によれば、ヒトのリンパ液の流れが変化したか否かを容易に評価することができる。
【発明の効果】
【００１２】
本発明では、第１時刻の血液および第２時刻の血液における特定成分の濃度を検出し、その結果において、特定成分の濃度が変化したとき、第１時刻と第２時刻との間でリンパ液の流れが変化したと判定することができる。それ故、ヒトのリンパ液の流れの変化を容易に評価することができる。
【図面の簡単な説明】
【００１３】
【図１】本発明に係る検討１の結果を示すグラフである。
【図２】本発明に係る検討２の結果を示すグラフである。
【図３】本発明に係る検討３の結果を示すグラフである。
【発明を実施するための形態】
【００１４】
本発明では、ヒトのリンパ液の流れの変化を評価するにあたって、第１時刻の血液、およびその後の第２時刻の血液の各々に対して、血液とリンパ液とにおいて濃度が異なる特定成分の濃度を測定し、第１時刻の血液と第２時刻の血液とにおいて特定成分の濃度が変化したとき、第１時刻と第２時刻との間でリンパ液の流れが変化したと判定する。ここで、特定成分は、体外から測定する方法を採用することができるが、第１時刻に採取した血液、および第２時刻に採取した血液の特定成分の濃度を測定することが好ましい。
【００１５】
本発明では、ヒトの血液に含まれる成分のうち、血漿たんぱく、アルブミン、赤血球、ヘマトクリット、白血球、抗利尿ホルモン（ＡＤＨ：パゾブレッシン）等の特定成分は、リンパ液中の濃度が血液中の濃度と比較して低いことに着目し、上記の成分を特定成分とする。従って、リンパ液の流れが速くなると、リンパ液が静脈に流れ込む量が増える結果、血液がリンパ液で薄まる度合が大きいので、上記の特定成分の濃度が低下する。これに対して、リンパ液の流れが遅くなると、リンパ液が静脈に流れ込む量が減る結果、血液がリンパ液で薄まる度合が小さいので、特定成分の濃度が上昇する。それ故、第１時刻の血液および第２時刻の血液における特定成分の濃度を検出すれば、リンパ液の流れの変化を容易に評価することができる。よって、第１時刻と第２時刻との間に行った行為がリンパ液の流れが変化したと判定することができる。また、第１時刻と第２時刻との間に行った行為が、ヒトのリンパ液の流れにどのように影響したかを判定することができる。
【００１６】
ここで、特定成分としては、上記の成分のうち、血漿たんぱく、アルブミン、赤血球、ヘマトクリット、および抗利尿ホルモンを利用すれば、リンパ液の流れが変化したか否かを容易かつ確実に評価することができる。
【００１７】
なお、血漿たんぱくは、血液に含まれるたんぱく質で、その代表がアルブミンである。ヘマトクリットは、血液に含まれる血球成分であり、そのほとんどが赤血球である。ヘマトクリット値は、血液中の血球成分全体の比率である。赤血球は、血液には含まれるが、リンパ液には含まれない。白血球は、血液およびリンパ液に含まれるが、血液には、リンパ液より多く含まれる。抗利尿ホルモンは、脳下垂体の後葉で生成され、血液中の水分が少なくて、浸透圧濃度（塩分の濃度）が高まると、分泌される。従って、血液がリンパ液で薄まって浸透圧濃度が低下すると、血液中の抗利尿ホルモンの濃度が低下する。
【００１８】
（検証結果）
図１は、本発明に係る検討１の結果を示すグラフである。図２は、本発明に係る検討２の結果を示すグラフである。図３は、本発明に係る検討３の結果を示すグラフである。なお、図１、図２および図３では、行為前の特定成分の測定値を１とし、行為後の特定成分の測定値を行為前の測定値に対する比で示してある。また、図１、図２および図３において、マーク「＊」は統計的に有意差があることを示し、「＊＊」は有意差の水準がより高いことを示し、「ＮＳ」は統計的に有意差がないことを示す。
【００１９】
以下の検討を行うにあたって、計４８名の被験者（平均年齢＝４５歳）を、以下のグループ（ａ群からｈ群）に分け、各々のグループ毎に以下の行為を行ってもらい、各行為の前後に採取した血液に対して、血漿たんぱく、アルブミン、赤血球、ヘマトクリット、白血球、抗利尿ホルモン等の特定成分を検出した。また、各行為の前後において、足首の太さ、ひざの太さを測定した。ここで、各行為の前が本発明の「第１時刻」に相当し、各行為の後が本発明の「第２時刻」に相当する。なお、マッサージは、リンパ浮腫療法士等に実施してもらった。また、以下の検討はいずれも、午後２時から午後３時に行い、夕方に発生する足のむくみの影響を排除した。また、検討の時間内では、水分の摂取や排尿も行わなかった。また、第１時刻から第２時刻までの時間を、概ね３０分とし、皮膚や息からの水分の飛散の影響を抑制した。
【００２０】
（検討１）
ａ群
あおむけ姿勢になって顔に５分間のマッサージを行い、その後、３０分間、横になってもらった。
ｂ群
あおむけ姿勢になって、両上肢に合わせて５分間（左右の手と腕に２分半ずつ）のマッサージを行い、その後、３０分間、横になってもらった。
ｃ群
あおむけ姿勢になって、両上肢に合わせて５分間（左右の太腿と足に２分半ずつ）のマッサージを行い、その後、３０分間、横になってもらった。
ｄ群
マッサージをせずに、あおむけ姿勢で３０分間、横になってもらった。
【００２１】
（検討２）
ｅ群
マッサージをせずに、椅子に３０分間、座ってもらった。
ｆ群
椅子に座った状態で、両上肢に合わせて５分間（左右の太腿と足に２分半ずつ）のマッサージを行った。
【００２２】
（検討３）
ｇ群
あおむけ姿勢で３０分間、横になってもらい、その間、１分間に２〜３回、ゆっくりと腹式呼吸をしてもらった。
ｈ群
あおむけ姿勢で３０分間、横になってもらい、その間、普通の呼吸をしてもらった。
【００２３】
検討１における行為前後における血漿たんぱく、アルブミン、赤血球数、ヘマトクリット値、白血球数、足首の太さ、ひざの太さの変化を図１に示す。
【００２４】
図１からわかるように、あおむけ姿勢になったａ群、ｂ群、ｃ群およびｄ群の全てで、血漿たんぱく、アルブミン、赤血球数、ヘマトクリット値、白血球数が低下した。それ故、あおむけ姿勢になるという行為によれば、マッサージの有無にかかわらず、リンパ液の流れが速くなるといえる。特に、血漿たんぱくおよびアルブミンは、ａ群、ｂ群、ｃ群およびｄ群の全てで統計的な有意差があると確認された。
【００２５】
赤血球数は、ｂ群、ｃ群およびｄ群で統計的な有意差があると確認されたが、ａ群では、統計的な有意差が確認されなかった。ヘマトクリット値は、ｂ群およびｃ群で統計的な有意差があると確認されたが、ａ群およびｄ群では、統計的な有意差が確認されなかった。白血球数は、ｃ群で統計的な有意差があると確認されたが、ａ群、ｂ群およびｄ群では、統計的な有意差が確認されなかった
【００２６】
足首の太さの減少は、ｃ群で統計的な有意差があると確認された。ひざの太さは、ａ群、ｂ群、ｃ群およびｄ群のいずれの群でも統計的な有意差が確認されなかった。
【００２７】
検討２における行為前後における血漿たんぱく、アルブミン、赤血球数、ヘマトクリット値、白血球数、足首の太さ、ひざの太さの変化を図２に示す。
【００２８】
図２からわかるように、椅子に座った姿勢では、ｅ群およびｆ群のいずれにおいても、アルブミン、赤血球数、ヘマトクリット値、白血球数の明らかな低下が確認できなった。それ故、椅子に座った姿勢では、マッサージの有無にかかわらず、リンパ液の流れに影響が出ないといえる。
【００２９】
すなわち、大量のリンパ液は、いったん腹部にある乳糜槽（リンパ液のプール）に貯められ、乳糜槽から胸に向かって延びた胸管を介して静脈に流れ込むため、あおむけ姿勢では、リンパ液はスムーズに静脈に流れ込むのに対して、椅子に座った姿勢や起立した姿勢では、重力の影響で、リンパ液のスムーズな流れが阻害されるといえる。
【００３０】
検討３における行為前後における血漿たんぱく、アルブミン、赤血球数、ヘマトクリット値、白血球数、抗利尿ホルモン、足首の太さ、ひざの太さの変化を図３に示す。
【００３１】
図３からわかるように、血漿たんぱく、アルブミンおよびヘマトクリット値は、ｇ群およびｈ群の全てで統計的な有意差があると確認された。赤血球数および抗利尿ホルモンは、ｇ群で統計的な有意差があると確認されたが、ｈ群で統計的な有意差が確認できなかった。白血球数は、ｇ群およびｈ群のいずれの群でも統計的な有意差が確認されなかった。足首の太さの減少は、ｇ群およびｈ群のいずれの群でも統計的な有意差が確認されなかった。ひざの太さは、ｇ群で統計的な有意差があると確認されたが、ｈ群で統計的な有意差が確認できなかった。
【００３２】
このように、行為前後の特定成分（血漿たんぱく、アルブミン、赤血球、ヘマトクリット、白血球、抗利尿ホルモン）を検出すれば、血液がリンパ液で薄まって特定成分の濃度が低下した場合には、リンパ液の流れが増大したと評価することができる。特に、上記の特定成分のうち、血漿たんぱく、アルブミン、赤血球、ヘマトクリット、および抗利尿ホルモンを検出すれば、統計的な有意差が高い確率で確認されていることから、行為前後のリンパ液の流れの変化を確実に評価することができる。
【図１】
2017150958.tif 000003
【図２】
2017150958.tif 000004
【図３】
2017150958.tif 000005